(57)【要約】【目的】  プライバシーやセキュリティ等の個人生活の保護を図りつつ、家電製品ネットワークの如き家庭内ネットワークへの一時的なアクセスを可能とするアクセス制御方法を提供する。【構成】  本発明によるアクセス制御方法は、家庭内ネットワークへのＩＰネットワークを介した複数のＩＰ電話端末のアクセスを制御するアクセス制御方法であり、該ＩＰ電話端末のうちの少なくとも１を、該家庭内ネットワークへのアクセスを許可する許可端末として設定する。該許可端末において、ＩＰ電話通信の各々の間に相手方ＩＰ電話端末を識別する端末情報を取得し、該相手方ＩＰ電話端末の少なくとも１を指定する入力に応じて、該ＩＰ電話端末を代理端末に設定する。該ＩＰ電話端末の何れか１からアクセス要求があるとき、当該１の端末が代理端末であると判定した場合に、該１の端末の該家庭内ネットワークへのアクセスを許可する。【選択図】  図３
2006050114.tif 000002
【特許請求の範囲】
【請求項１】
家庭内ネットワークへのＩＰネットワークを介した複数のＩＰ電話端末のアクセスを制御するアクセス制御方法であって、
前記ＩＰ電話端末のうちの少なくとも１を、前記家庭内ネットワークへのアクセスを許可する許可端末として設定する許可端末設定ステップと、
前記許可端末において、ＩＰ電話通信の各々の間に相手方ＩＰ電話端末を識別する端末情報を取得し、前記相手方ＩＰ電話端末の少なくとも１を指定する入力に応じて、前記ＩＰ電話端末を代理端末に設定する代理端末設定ステップと、
前記ＩＰ電話端末の何れか１からアクセス要求があるとき、当該１の端末が代理端末であると判定した場合に、前記１の端末の前記家庭内ネットワークへのアクセスを許可する代理端末アクセス許可ステップと、
を含むことを特徴とするアクセス制御方法。
【請求項２】
前記許可端末において、前記代理端末のうちの１の端末に対する設定を解除を指令する入力に応じて、前記１つの端末を代理端末とする設定を解除するステップをさらに含むことを特徴とする請求項１記載のアクセス制御方法。
【請求項３】
前記代理端末設定ステップは、前記端末情報として、前記他端末のＩＰアドレス、ＩＰ電話番号及び公開鍵証明書のうちの少なくとも１つを取得するステップであることを特徴とする請求項１又は２記載のアクセス制御方法。
【請求項４】
前記代理端末アクセス許可ステップは、前記代理端末と前記家庭内ネットワークとの間の直接経路によるアクセスを許可するステップであることを特徴とする請求項１又は２記載のアクセス制御方法。
【請求項５】
前記代理端末アクセス許可ステップは、前記代理端末から前記許可端末を経由して前記家庭内ネットワークに至る間接経路によるアクセスを許可するステップであることを特徴とする請求項１又は２記載のアクセス制御方法。
【請求項６】
前記家庭内ネットワークは、ネットワーク通信機能を備える少なくとも１つの家電製品を含むことを特徴とする先行する請求項の何れか１記載のアクセス制御方法。
【発明の詳細な説明】
【技術分野】
【０００１】
本発明は、家庭内等に備えられる家電製品により構成される家電ネットワーク等の家庭内ネットワークに対して外部からアクセスを許可して外部からの該家電製品への操作を可能とする如く、家庭内ネットワークへのアクセスを制御するアクセス制御方法に関する。
【背景技術】
【０００２】
近年、家庭の電化製品をネットワークで接続し、外出先などの遠隔からこれら家電製品を操作できるシステムが実現されている。「遠隔制御装置」と題する特許文献１に開示されるシステムは、遠隔から家庭の機器の状態を確認し、状態変化のイベントを利用者に通知できるとする構成を示している。また、「ブラウザー基盤の改善されたホームネットワーク命令及び制御」と題する特許文献２に開示されるシステムは、Ｗｅｂインターフェースにより家庭の機器を制御できるとする構成を示している。
【０００３】
家庭内の家電ネットワークの如き個人生活に関わる領域においては、当然に第三者からの不正な侵入に備えて適切なセキュリティが準備される必要がある。そのために、かかるネットワークのアクセスノードにおいてログインパスワード等の入力を求めることで不正アクセスを阻止するＧＷサーバを設置することが考えられている。
【０００４】
家庭内のかかるネットワークに遠隔からアクセスできるという利便性は、単に世帯主あるいは家族の如き同居人がかかるネットワークにアクセスする場合に限られない。例えば、家電ネットワークに接続された家電製品を遠隔から保守、点検さらには修理を行う一般の業者が一時的に該ネットワークにアクセスできるようにすべき要請もある。また、親の介護のために、同居していない遠隔に住む子供が該ネットワークに一時的にアクセスしたいと望む場合も想定される。
【特許文献１】特開２００１−３２６９８０号公報
【特許文献２】特表２００２−５０９６２８号公報
【発明の開示】
【発明が解決しようとする課題】
【０００５】
しかしながら、ログインパスワード等による認証手段は、事前の登録手続が必要となり一時的アクセスのためには煩瑣であると共に、かかる登録をすると保守等の操作が終了した業者或いは介護の必要がなくなった者が、その後も継続してネットワークにアクセス可能となってしまい、プライバシー等の個人生活の保護が十分に確保されない虞がある。
【０００６】
本発明はかかる問題に鑑みてなされたものであり、その目的は、プライバシーやセキュリティ等の個人生活の保護を図りつつ、家電製品ネットワークの如き家庭内ネットワークへの一時的なアクセスを可能とするアクセス制御方法を提供することである。
【課題を解決するための手段】
【０００７】
本発明によるアクセス制御方法は、家庭内ネットワークへのＩＰネットワークを介した複数のＩＰ電話端末のアクセスを制御するアクセス制御方法であり、該ＩＰ電話端末のうちの少なくとも１を、該家庭内ネットワークへのアクセスを許可する許可端末として設定する許可端末設定ステップと、該許可端末において、ＩＰ電話通信の各々の間に相手方ＩＰ電話端末を識別する端末情報を取得し、該相手方ＩＰ電話端末の少なくとも１を指定する入力に応じて、該ＩＰ電話端末を代理端末に設定する代理端末設定ステップと、該ＩＰ電話端末の何れか１からアクセス要求があるとき、当該１の端末が代理端末であると判定した場合に、該１の端末の該家庭内ネットワークへのアクセスを許可する代理端末アクセス許可ステップとを含むことを特徴とする。
【発明の効果】
【０００８】
本発明によるアクセス制御方法によれば、ＩＰ電話端末により通話をなした特定の相手方のＩＰ電話端末を自身の代理端末として一時的に家庭内ネットワークにアクセス可能とするアクセス制御方法が提供される。これにより、プライバシーやセキュリティ等の個人生活の保護を図りつつ、家電製品ネットワークの如き家庭内ネットワークへの代理端末の一時的なアクセスが可能となり、その利便性が有効に発揮され得る。
【発明を実施するための最良の形態】
【０００９】
本発明の実施例について添付の図面を参照して詳細に説明する。
＜第１の実施例＞
図１は、本発明の第１の実施例を示し、ＳＩＰフォン及び家庭内ネットワークを含む全体の構成を示している。ＩＰ電話端末である２つのＳＩＰフォン１０ａ及び１０ｂが公衆ＳＩＰ電話網２０及びＩＰネットワーク２１を介して接続されている。公衆ＳＩＰ電話網２０及びＩＰネットワーク２１は、さらに家電ネットワーク３０に接続されている。かかる構成における１つの運用形態としては、１人の利用者ＡがＳＩＰフォン１０ａを用いて電話利用を行い、１人の家電修理業者ＢがＳＩＰフォン１０ｂを用いるものとし、さらに家電ネットワーク３０は利用者Ａの個人住居における家庭内ネットワークであるとする。公衆ＳＩＰ電話網２０は、ＳＩＰ（Session Initiation Protocol, RFC3261）プロトコルにより利用者Ａ及び家電修理業者Ｂを含む一般利用者にＩＰ電話サービスを提供するネットワークである。ＩＰネットワーク２１は、インターネットの如く一般利用者が利用可能なデータネットワークである。本実施例では、公衆ＳＩＰ電話網２０及びＩＰネットワーク２１は別異のネットワークとして示されているが１つのＩＰネットワークにより実現されても良い。
【００１０】
ＳＩＰフォン１０ａ及び１０ｂの各々は、ＳＩＰプロトコルにより電話通話が可能な電話端末であり、例えば家庭のＰＣやＩＰ電話専用端末の形態であっても良い。本図では、ＳＩＰフォン１０ａの内部機能構成が詳細に示されているが、ＳＩＰフォン１０ｂも同一の機能構成を備える。ＳＩＰフォン１０ａを例として説明すると、ＳＩＰフォン１０ａは、ＳＩＰ電話端末部１０１と、アクセス許可設定部１０２と、家電遠隔操作部１０３と、家電ＧＷ連携部１０４とを含む。
【００１１】
ＳＩＰ電話端末部１０１は、例えばＳＩＰフォン１０ｂの如き他のＳＩＰフォンとＳＩＰプロトコルを利用したＩＰ電話通信を行う機能を備える。アクセス許可設定部１０２は、利用者からの指示入力により、現在通話している相手に対して家電ネットワーク３０へのアクセスを可能とする設定をなす機能を有し、かかる設定のために家電ＧＷ連携部１０４を通して現在通話中の相手を特定し且つ許可を与える設定情報を家電ＧＷ３１に現在通話中の相手の家電ネットワーク３０へのアクセスを許可する設定をなさしめる機能を備える。尚、アクセスを許可する利用者の指示入力手段は、利用者の意志を反映するものであれば良く、ボタン入力、特定キーワードによる音声入力、会話音声認識処理によるイベント検知の何れの手段であって良い。家電ＧＷ連携部１０４は、アクセス許可設定部１０２からの設定情報を家電ＧＷ３１に送信する機能と、家電遠隔操作部１０３からの家電遠隔操作のための指示コマンドを家電ＧＷ３１に送信すると共に該指示コマンドに対する応答メッセージを家電遠隔操作部１０３に送る機能を有する。家電遠隔操作部１０３は、家電ＧＷ連携部１０４及び家電ＧＷ３１を経由して、家電ネットワーク３０内にある家電製品３２及び３３の各々にアクセスする機能を有する。家電製品３２及び３３の各々へのアクセス手段は、例えば、ＳＩＰフォン１０ｂに備えられたボタンの入力或いは特定のキーワードによる音声入力、或いは会話音声認識処理によるイベント検知の何れの手段が用いられ得る。また、ＳＩＰフォン１０ｂが通常のＰＣにより実現されている場合には、家電ネットワーク３０に含まれる家電装置３２又は３３が提供するアクセス手段に対応した実行機能、例えば、Ｊａｖａ（登録商標）等で実現される専用アプリケーションの場合はその実行機能を備えるようにしても良いし、Ｗｅｂインターフェースの場合にはＷｅｂブラウザ機能を備えるようにしても良い。
【００１２】
家電ネットワーク３０は、家庭内ネットワークであり、家電ＧＷ３１と、家電装置３２及び家電装置３３とを含み、これらがＬＡＮ３９により接続されている。家電装置３２及び家電装置３３の各々は、例えば、通常の家電製品にネットワーク通信機能が付加された装置である。本実施例の運用形態として、家電装置３２及び家電装置３３の各々は、例えば、ＴＶ録画装置であったり、冷蔵庫とすることができる。本実施例において、ＳＩＰフォン１０ａは、そのＩＰアドレス等の識別情報に基づいて家電ネットワーク３０へのアクセスが認証された許可端末である。
【００１３】
家電ＧＷ３１は、ローカルネットワークである家電ネットワーク３０と外部のＩＰネットワーク２１との間を接続するゲートウェイ機能を有すると共に、利用者本人からのアクセスを認証し本人以外の不正なアクセスを防御するファイヤウォール機能を有する。本実施例において、特に、家電ＧＷ３１はアクセス制御テーブル３１１をさらに含む。アクセス制御テーブル３１１は、適正な利用者が指定する利用者以外の他の端末に家電ネットワーク３０への一時的にアクセスを許すアクセス制御を行うために設けられる。ＳＩＰフォン１０ａ又は１０ｂ等のクライアントに対する操作インタフェースは、例えば、Ｊａｖａ（登録商標）等の言語により実装され得る専用アプリケーションやＷｅｂインターフェースソフトウェアを用いることにより実現され得る。
【００１４】
図２は、図１に示されるアクセス制御テーブルの設定例を示している。ここで、１つの例としてのアクセス制御テーブル３１１が、アクセス許可を与える相手端末毎に「許可通番」と、「代理端末識別情報」と、「本人端末識別情報」と、「アクセス許可レベル」とを含んでいる。
【００１５】
「許可通番」は、アクセス許可を与える相手端末毎に振られる通番であり、"0001〜0004 "の如く設定される。「代理端末識別情報」は、本発明によるアクセス制御方法によりアクセス許可を与える対象となる端末を識別する端末情報である。本実施例においては、ＳＩＰフォン１０ｂ（図１参照）の識別情報である。識別情報としては、端末のＩＰアドレスであり、例えば”aaa.aaa.aaa.bbb”の如く設定され、或いは端末のＩＰ電話としての識別情報である電話番号、例えば”sip:+81-1-2345-6789@xxxx.co.jp”が設定されても良い。「本人端末識別情報」は、本発明によるアクセス制御方法によりアクセス許可を与える主体となる端末を識別する端末情報である。本実施例においては、ＳＩＰフォン１０ａ（図１参照）の識別情報である。識別情報としては、好ましくは端末のＩＰ電話としての識別情報である電話番号、例えば”sip:+81-9-8765-4321@xxxx.co.jp”が設定されても良い。該識別情報は、端末のＩＰアドレスであっても良いが、ＩＰアドレスが動的に変更される可能性がある場合には好ましくない。「アクセス許可レベル」は、「被許可端末」が家電ネットワーク３０にアクセスし、実際にこれに接続された家電装置３２又は３３に対してどの程度のアクセスを許可するかを設定する。例えば、家電装置３２又は３３の内部的な情報を参照するだけの読み取り専用にするか、それとも内部的な情報を書き換えを許して書き込み可とするか等の複数のアクセスレベルの種類を設定できようにすることができる。
【００１６】
また、アクセス制御テーブル３１１には、例えば現在からの経過時間或いは日時指定の如くして、アクセス許可の有効期限を設定できるようにしても良い。これにより、アクセス許可を時間経過と応じて変更させることもできる。
【００１７】
図３は、図１に示される構成において実行されるアクセス制御方法を実行する処理手順を示している。前提として自宅の家電ネットワーク３０（図１参照）にアクセス許可を予め有するＳＩＰフォン１０ａ持つ利用者が、家電ネットワーク３０に接続された家電製品の修理のために、代理端末とされるべきＳＩＰフォン１０ｂを持つ外部の修理業者と通話している場面を例にして本実施例の動作を説明する。
【００１８】
先ず、ＳＩＰフォン１０ａが利用者にＳＩＰ電話通話を提供し（ステップＳ０１）、これに接続されたＳＩＰフォン１０ｂが呼応して修理業者にＳＩＰ電話通話を提供している（ステップＳ０２）。想定される場面を前提とすると、利用者は、修理業者との交渉により、ネットワークを介した遠隔からの修理依頼を修理業者に依頼したとする。そこで、利用者は、ＳＩＰフォン１０ａを操作して、当該修理業者すなわちＳＩＰフォン１０ｂの操作者による家電ネットワーク３０へのアクセスを認める指示操作を行う。該指示操作は、例えば利用者によるＳＩＰフォン１０ａの操作ボタンの押し下げ等の操作に応じて生成される。
【００１９】
この許可指示に応じて、ＳＩＰフォン１０ａは、相手端末を代理端末としてその識別情報を通知する（ステップＳ０３）。ここで、該識別情報は、現在通話中のＳＩＰフォン１０ｂのＩＰアドレス等の端末を特定する情報である。該識別情報の通知に応じて、家電ネットワーク３０の家電ＧＷ３１は、該識別情報をアクセス制御テーブル３１１に設定する（ステップＳ０４）。アクセス制御テーブル３１１の設定は、利用者本人のを持つＳＩＰ１０ａを特定する「本人端末識別情報」、ＳＩＰ１０ｂを特定する「代理端末識別情報」を設定する。この際に、「アクセス許可レベル」等の付加情報を設定することもできる。
【００２０】
この時点で、修理業者は、利用者から電話連絡を受け、利用者側の家電ネットワーク３０にアクセスできることを知る。かかるアクセスできる旨の通知手段は、会話によるものでも良いし、ＳＩＰフォン１０ａの家電ＧＷ連携部１０４からＳＩＰフォン１０ｂの家電遠隔操作部１０３への通知を画面やブザーに反映させる方式により実現されても良い。そこで、修理業者は、ＳＩＰフォン１０ｂに対して、家電ネットワーク３０へのアクセス要求の操作を行う。かかるアクセス要求に応じて、ＳＩＰフォン１０ｂは、家電ネットワーク３０の家電ＧＷ３１に対して代理端末としてアクセス要求を行う（ステップＳ０５）。このアクセス要求は、ＳＩＰフォン１０ｂの家電遠隔操作部１０３により受け付けられて、家電ＧＷ連携部１０４を介して家電ＧＷ３１に送信される。
【００２１】
該アクセス要求に応じて、家電ＧＷ３１は、ＳＩＰフォン１０ｂからのアクセス要求に対してアクセス認証を行う（ステップＳ０６）。該アクセス認証として、家電ＧＷ３１は、アクセス制御テーブル３１１の内容を参照して、ＳＩＰ１０ｂを特定する「代理端末識別情報」からＳＩＰ１０ｂのアクセス許可を認識することで認証を行う。
【００２２】
この認証に基づいて、ＳＩＰフォン１０ｂは，家電ＧＷ３１をアクセスノードとして家電ネットワーク３０にアクセスする（ステップＳ０７）。該アクセスにより、ＳＩＰフォン１０ｂの操作者すなわち修理業者は、家電ネットワーク３０に含まれる例えば冷蔵庫３３にアクセスして、その故障状況を把握し、交換を要する部品の確認や可能ならば遠隔的操作により修理を行う。
【００２３】
次に、ＳＩＰフォン１０ｂは、ＳＩＰフォン１０ａに向けて、アクセス終了の通知を行う（ステップＳ０８）。ＳＩＰフォン１０ａは、該アクセス終了通知に応じて、好ましくは利用者の判断を問い合わせた後に、家電ＧＷ３１に代理端末の解除通知を行う（ステップＳ０９）。該解除通知に応じて、家電ＧＷ３１は、当該端末すなわちＳＩＰフォン１０ｂの該識別情報をアクセス制御テーブル３１１から削除することにより、従前のアクセス許可を解除する（ステップＳ１０）。これ以後は、もはやＳＩＰフォン１０ｂからの家電ネットワーク３０へのアクセスはできなくなる。
【００２４】
以上のように本発明によるアクセス制御方法によれば、家電の遠隔制御サービスにおいて、家電の所有者が、ユーザ登録変更等の操作を必要とせず、必要な時に必要な人にだけ簡単にアクセスを許可することができる。また、必要かどうかの判断は、家電の所有者本人により、アクセスを許可しようとする相手をその時の状況により判断できることから、従来の家電の遠隔制御サービスで考えられる過度のプライバシー侵害の課題を解決できる。
【００２５】
尚、変形例として、ＳＩＰフォン１０ａを携帯電話により実現しても良い。この場合には、たとえ利用者が外出中であっても，かかる携帯電話により利用者の機動的な判断を以て家電の遠隔保守依頼ができるようになる。また、家電ネットワーク３０は、ＬＡＮに限らず、センサネットワークであるとして家電ＧＷ３１により制御及び／又は管理機能を提供することとしても良い。
＜第２の実施例＞
図４は、本発明の第２の実施例を示し、ＳＩＰフォン及び家庭内ネットワークを含む全体の構成を示している。本第２実施例では、アクセス認証を利用者のＳＩＰフォン１０ａにおいて行い、修理業者等の相手方のＳＩＰフォン１０ｂからの家電ネットワーク３０へのアクセスを、第１の実施例の如く直接経路を介して行うのとは異なり、利用者のＳＩＰフォン１０ａを介して間接経路を介して行う構成が示されている。
【００２６】
２つのＳＩＰフォン１０ａ及び１０ｂが公衆ＳＩＰ電話網２０及びＩＰネットワーク２１を介して接続されている。公衆ＳＩＰ電話網２０及びＩＰネットワーク２１は、さらに家電ネットワーク３０に接続されている。ＳＩＰフォン１０ａ及び１０ｂの各々は、ＳＩＰプロトコルにより電話通話が可能な電話端末であり各々が同一の機能を有する。ＳＩＰフォン１０ａを例として説明すると、ＳＩＰフォン１０ａは、第１の実施例におけると同様の機能を備え、ＳＩＰ電話端末部１０１と、アクセス許可設定部１０２と、家電遠隔操作部１０３と、家電ＧＷ連携部１０４とを含む。ＳＩＰフォン１０ａは、さらに、家電ＧＷ連携部１０４に接続される中継部１０５を含む。中継部１０５は、外部のＳＩＰ端末、例えば、ＳＩＰフォン１０ｂからの家電ネットワーク３０へのアクセスを中継する機能を有し、修理業者等の相手方端末の認証を行うことで、不正アクセスを防ぐことができる。
【００２７】
家電ネットワーク３０は、家庭内ネットワークであり、家電ＧＷ３１と、家電装置３２及び家電装置３３とを含み、これらがＬＡＮ３９により接続されている。家電ＧＷ３１は、ローカルネットワークである家電ネットワーク３０と外部のＩＰネットワーク２１との間を接続するゲートウェイ機能を有すると共に、外部から不正なアクセスを防御するファイヤウォール機能を有する。本第２の実施例において、家電ＧＷ３１は、第１の実施例の如きアクセス許可テーブルを含まず、当該家電ネットワーク３０の適正な利用者のみのアクセスを許可する構成である。
【００２８】
以上の第２の実施例において、修理業者の如き一時的なアクセスをなす端末は、利用者の端末すなわちＳＩＰフォン１０ａを経由した間接経路を介して、利用者の認証資格に基づいて家電ネットワーク３０にアクセスすることができる。従って、家電ＧＷ３１に、かかる一時的アクセスを可能とする特別の構成を設ける必要がない。従って、既存の家電ネットワーク３０を基礎として、ＳＩＰフォン１０ａ又は１０ｂの如き端末側の構成を変更することのみで、第１の実施例により得られるを効果を実現することができる。
【００２９】
以上の複数の実施例の説明から明らかなように、本発明によるアクセス制御方法により、修理業者や保守担当者或いは同居しない親族からの一時的なアクセスを、家電ＧＷへの利用者の登録を行うことなく、さらにはアクセスする必要がなくなり次第これを禁止することができる。これは、ＩＰ電話端末により通話をなした特定の相手方のＩＰ電話端末を自身の代理端末として一時的に家庭内ネットワークにアクセス可能とする方法を用いることにより実現される。これにより、個人生活のプライバシーの保護とのバランスを図ることができる。すなわち、家電の所有者本人は、必要な時に必要な人にだけ簡単にアクセスを許可することができると共に、許可を必要とするか否かの判断をアクセスを許可しようとする相手との交渉経緯を踏まえて行うことができる。
【００３０】
尚、一時的な代理端末にアクセス許可をなす構成としては、ＩＰ電話通話中の相手端末のｌＰアドレスを取得する方法のみならず、変形例として、相手方端末の公開鍵証明書などにより相手を特定する方法を実装しても良い。さらなる変形例として、相手方端末のｌＤや暗号鍵など、一時的な認証情報を生成してかかる相手端末に一時的なアクセスを許可する構成も可能である。また、これら複数の形態を組み合わせてかかる構成を実現しても良い。
【産業上の利用可能性】
【００３１】
本発明によるアクセス制御方法は、家庭内に設置された家電製品をＬＡＮ等の手段により結んだ家電ネットワークに限られず、通常のパソコンネットワークの如き家庭内ネットワークに適用され得る。
【図面の簡単な説明】
【００３２】
【図１】本発明の第１の実施例を示し、ＳＩＰフォン及び家庭内ネットワークを含む全体の構成を示しているブロック図である。
【図２】図１に示されるアクセス制御テーブルの設定例を示している説明図である。
【図３】図１に示される構成において実行されるアクセス制御方法を実行する処理手順を示しているシーケンス図である。
【図４】本発明の第２の実施例を示し、ＳＩＰフォン及び家庭内ネットワークを含む全体の構成を示しているブロック図である。
【符号の説明】
【００３３】
１０ａ、１０ｂ  ＳＩＰフォン
２０  公衆ＳＩＰ電話ネットワーク
２１  ＩＰネットワーク
３０  家電ネットワーク
３１  家電ゲートウェイ（ＧＷ）
３２、３３  家電装置
３９  ＬＡＮ
１０１  ＳＩＰ電話端末部
１０２  アクセス許可設定部
１０３  家電遠隔操作部
１０４  家電ゲートウェイ（ＧＷ）連携部
１０５  中継部
３１１  アクセス制御テーブル
【図１】
2006050114.tif 000003
【図２】
2006050114.tif 000004
【図３】
2006050114.tif 000005
【図４】
2006050114.tif 000006